(57)【要約】  物体を照明し、且つ光の像を生成するために、例えば、前記物体の展示のために、照明組立体は、照明のための反射部と、前記光の像を生成するための回折部とを有する。前記光を生成するためにＬＥＤ光源などの光源が用いられる。
2010527104.tif 000002
【特許請求の範囲】
【請求項１】
物体を照明し、且つ光の像を生成するための照明組立体であって、
−  光を生成するための光源と、
−  前記光源に対して、前記光源によって生成される光が、前記物体を照明するために前記物体の方へ反射されるように、配設される反射部と、
−  前記光源に対して、前記光源によって生成される光が、前記光の像を生成するように、配設される回折部とを有する照明組立体。 
【請求項２】
前記反射部が反射器を有する請求項１に記載の照明組立体。
【請求項３】
前記反射部が反射回折素子を有する請求項１に記載の照明組立体。
【請求項４】
前記光源が、第１の光源であり、前記反射部が、第２の反射型の光源を有する請求項１に記載の照明組立体。
【請求項５】
前記第２の光源が反射型有機発光ダイオードである請求項４に記載の照明組立体。
【請求項６】
前記回折部が透過回折素子を有する請求項１に記載の照明組立体。
【請求項７】
前記光源が、前記透過回折素子の第１の側に配設され、前記透過回折素子が、前記透過回折素子の第２の側に三次元の光の像を生成するよう構成される請求項６に記載の照明組立体。
【請求項８】
前記回折部が反射回折素子を有する請求項１に記載の照明組立体。
【発明の詳細な説明】
【技術分野】
【０００１】
本発明は、物体を照明するための照明組立体に関する。
【背景技術】
【０００２】
店においては、製品は、棚などに積み重ねられ、客に呈示される。客の注意を引くためには、製品は、はっきりと見えなければならない。更に、好ましくは、客の注意を引くための他の標示も設けられる。このような標示は、例えば、製品、製品の価格又は他の関連情報についての情報を提供し得る。
【０００３】
日本の特許出願公開公報第JP2006071690号には、像作成体と、光の像を半透明スクリーンの第１側部上に投影し、それによって、半透明スクリーンの第２側部上に影の像を生成する発光ダイオード（ＬＥＤ）とを用いるものが記載されている。したがって、用いるテキスト、ブランドのマークなどが、光の像として示され得る。
【発明の概要】
【発明が解決しようとする課題】
【０００４】
本発明の目的は、物体を照明し、且つ光の像を生成するための照明システムを提供することにある。
【課題を解決するための手段】
【０００５】
前記目的は、請求項１に記載の照明組立体において達成される。前記照明システムは、光を生成するための少なくとも１つの光源、例えばＬＥＤを有する。前記光源は、生成される前記光の一部が前記照明組立体の反射部に向けられるように配設される。前記反射部は、商品などの前記物体又は壁を照明するよう構成され、配設される。更に、前記光源は、前記生成される光の別の一部が、回折部に向けられるように配設される。前記回折部は、前記光の分布を形づくり、それによって、光の像を生成するよう構成される。 
【０００６】
前記反射部は、前記光源によって生成される光を反射するために、反射器を有してもよく、且つ／又は前記反射部は、前記光を向け直すために、回折反射部を有してもよい。回折反射部は、例えば、棚の上の特定の製品に向けられる光点を生成するために用いられ得る。
【０００７】
実施例においては、前記反射部は、第２光源を有してもよい。前記第２光源は、例えば、反射型ＯＬＥＤ（有機発光ダイオード）であってもよく、それによって、より多くの光を生成し、前記物体をより一層照明する。
【０００８】
前記回折部は、前記光源によって生成される光が回折素子を通過し得るような透過回折素子を有してもよい。前記回折素子の、前記光源と比べて前記素子の反対の側に位置する人は、前記回折素子を見るときに、三次元の像を知覚し得る。 
【０００９】
前記回折部は、前記物体上に三次元の光の像を生成するための反射回折素子を有してもよい。前記物体は、例えば、壁であってもよい。それはまた、上記のように、棚などの上の製品に光を当てるのに用いられてもよい。
【００１０】
以下、非限定的な実施例を示している添付の図面を参照して、本発明を説明する。
【図面の簡単な説明】
【００１１】
【図１】本発明による照明組立体の第１実施例を示す。
【図２】本発明による照明組立体の第２実施例を示す。
【図３】本発明による照明組立体の第３実施例を示す。
【図４】本発明による照明組立体の第４実施例を示す。
【図５】本発明による照明組立体の第５実施例を示す。
【図６】本発明による照明組立体の第６実施例を示す。
【発明を実施するための形態】
【００１２】
図面において、同じ参照符号は、同じ素子を指す。図１は、製品の陳列部Ｄに関連して配設される照明組立体１０を示している。製品は、例えば、棚に配設される。照明組立体１０は、光を生成するために、光源１２、例えばＬＥＤ光源を有する。照明組立体１０は、反射器２２を含む反射部２０と、透過回折素子３２を含む回折部３０とを更に有する。更に、人間、例えば客の眼Ｅが示されている。像Ｉも示されている。下記で説明するように、像Ｉは、人間によって知覚され得る虚像である。矢印Ａは、例示的な光線の軌道を示している。
【００１３】
動作中、照明組立体１０は、陳列部Ｄ上の製品を照明する。これを達成するために、光源１２によって生成される光は、反射器２２によって反射される。反射器２２は、矢印Ａによって図示されているように、陳列部Ｄのほぼ全体、又は陳列部Ｄの所定の部分が照明されるように形づくられる。更に、生成される光の一部は、透過回折素子３２を通過する。前記光の一部は、眼Ｅに到達し、人間によって像Ｉが知覚される。像Ｉは、例えば、ロゴ、ブランド名、商標又は任意の他の標示の三次元の像であり得る。
【００１４】
図２は、照明組立体１０の第２実施例を示している。図１に図示されている第１実施例と比べると、第２実施例の反射部には、回折反射素子２４が設けられる。回折反射素子２４は、反射器２２と置き換えられてもよく、又は反射器２２と共に用いられてもよい。回折反射素子２４は、反射光のより正確な成形を可能にし、したがって、陳列部Ｄの照明のより正確な成形を可能にする。
【００１５】
図３は、照明組立体１０の第３実施例を示している。図１に図示されている第１実施例と比べると、第３実施例の反射部には、１つの反射型有機発光ダイオード（ＯＬＥＤ）２６、又は多くのＯＬＥＤ２６が設けられる。ＯＬＥＤ２６は、付加的な光を生成し、それによって、陳列部Ｄのより良好な照明を可能にする。更に、陳列部Ｄは、ＯＬＥＤ２６から光を受け取ることから、第１光源１２は、より多くの光を回折素子３２を通して伝送してもよく、それによって、より明るい像Ｉを得る。反射型ＯＬＥＤ２６は、反射器２２及び／若しくは回折反射素子２４の代わりに用いられてもよく、又は反射器２２及び／若しくは回折反射素子２４と共に用いられてもよい。
【００１６】
図４は、照明組立体１０の第４実施例を示している。照明組立体１０は、壁Ｗを照明し、像Ｉを壁Ｗに投影するよう構成される。当然、壁Ｗも、陳列部Ｄなどであり得る。第４実施例においては、壁Ｗを照明するために、最適に形づくられた反射器２２が用いられる。反射回折素子３４は、壁Ｗ上に像Ｉを生成するために用いられる。
【００１７】
図５は、照明組立体１０の第５実施例を示している。第４実施例と比べると、反射部２０は、反射器２２の代わりに、又は反射器２２と共に、反射回折素子２４を有する。図６に図示されているように、反射部２０は、１つの反射型ＯＬＥＤ２６、又は多くの反射型ＯＬＥＤ２６を更に有してもよい。
【００１８】
本願明細書において、本発明の詳細な実施例を開示しているが、開示されている実施例は、本発明の単なる例示的な実施例にすぎず、本発明は様々な形態で実施され得ることは理解されたい。それ故、本願明細書に開示されている具体的な構造及び機能の詳細は、限定するものとして解釈されるべきではなく、単に、請求項の根拠、及び当業者に、本発明を、ほぼあらゆる適切な詳細構造において様々に用いるよう教示するための代表的な根拠として解釈されるべきである。 
【００１９】
更に、本願明細書で用いられている用語及び表現は、限定することを目的としておらず、もっと正確に言えば、本発明の分かりやすい説明を与えることを目的としている。本願明細書で用いられている単数表現は、１つ又は２つ以上のものと定義される。本願明細書で用いられている「別の」という用語は、少なくとも第２の又はそれ以上のと定義される。本願明細書で用いられている「含む」及び／又は「持つ」という用語は、有する（即ち、オープンランゲージ）と定義される。 
【図１】
2010527104.tif 000003
【図２】
2010527104.tif 000004
【図３】
2010527104.tif 000005
【図４】
2010527104.tif 000006
【図５】
2010527104.tif 000007
【図６】
2010527104.tif 000008
【国際調査報告】
2010527104.tif 000009
2010527104.tif 000010